(57)【要約】  １人又は複数の他の参加者にコミュニケーションをとる参加者にフィードバックを行うための装置及び装置を動作させる方法が提供される。装置１００は、１つ又は複数の生理特性センサ１０４から、コミュニケーションが少なくとも１人の参加者によってとられるときコミュニケーションがとられる少なくとも１人の参加者から１つ又は複数の生理特性信号を取得するように構成されたプロセッサ１０２を含む。プロセッサ１０２はまた、少なくとも１人の参加者から取得された１つ又は複数の生理特性信号を１つ又は複数の予想生理特性信号と比較することに基づいてコミュニケーションの品質の尺度を決定し、少なくとも１人の参加者にコミュニケーションをとる参加者にコミュニケーションの決定済み品質尺度のフィードバックを行うようにユーザインタフェース１０８を制御するように構成される。
2020521249.tif 000002
【特許請求の範囲】
【請求項１】
１人又は複数の他の参加者にコミュニケーションをとる参加者にフィードバックを行うための装置であって、
前記コミュニケーションが少なくとも１人の参加者によってとられるとき前記コミュニケーションがとられる前記少なくとも１人の参加者から１つ又は複数の生理特性信号を１つ又は複数の生理特性センサにより取得し、
前記少なくとも１人の参加者から取得された前記１つ又は複数の生理特性信号を１つ又は複数の予想生理特性信号と比較することに基づいて前記コミュニケーションの品質の尺度を決定し、
前記少なくとも１人の参加者に前記コミュニケーションをとる参加者に前記コミュニケーションの決定済み品質尺度のフィードバックを行うためにユーザインタフェースを制御する、
プロセッサを含む、装置。
【請求項２】
前記コミュニケーションをとる参加者は、前記コミュニケーションがとられる前記少なくとも１人の参加者から遠く離れている、請求項１に記載の装置。
【請求項３】
取得された前記１つ又は複数の生理特性信号は、前記コミュニケーションがとられる前記少なくとも１人の参加者の反応を示す、請求項１又は２に記載の装置。
【請求項４】
前記１つ又は複数の予想生理特性信号は、統計データ、ヒューリスティックス、又は較正データに基づいて決定される、請求項１から３のいずれか一項に記載の装置。
【請求項５】
前記１つ又は複数の予想生理特性信号は、前記コミュニケーションをとる参加者から取得された１つ又は複数の生理特性信号に基づいて決定される、請求項１から４のいずれか一項に記載の装置。
【請求項６】
前記コミュニケーションの前記決定済み品質尺度は、前記少なくとも１人の参加者から取得された前記１つ又は複数の生理特性信号の少なくとも１つの特性と、前記１つ又は複数の予想生理特性信号の少なくとも１つの対応する特性との間の同期性の尺度である、請求項１から５のいずれか一項に記載の装置。
【請求項７】
前記コミュニケーションの前記決定済み品質尺度は、前記少なくとも１人の参加者から取得された前記１つ又は複数の生理特性信号の特性と、前記１つ又は複数の予想生理特性信号の対応する特性との間の同期性の尺度の加重和の尺度である、請求項１から５のいずれか一項に記載の装置。
【請求項８】
前記プロセッサはさらに、前記コミュニケーションの前記決定済み品質尺度を改善するように意図された関連する推奨を、前記コミュニケーションの前記決定済み品質尺度に基づいて、発生するか又はメモリから得る、請求項１から７のいずれか一項に記載の装置。
【請求項９】
前記推奨は、前記コミュニケーションの前記決定済み品質尺度が最小閾値を下回ると、発生されるか又は前記メモリから得られる、請求項８に記載の装置。
【請求項１０】
前記プロセッサはさらに、前記少なくとも１人の参加者に前記コミュニケーションをとる参加者に前記推奨を示す通知を提供するために前記ユーザインタフェースを制御する、請求項８又は９に記載の装置。
【請求項１１】
前記推奨は、
前記コミュニケーションをとる参加者が前記コミュニケーションを繰り返すための命令、
前記コミュニケーションをとる参加者が前記コミュニケーションを再調査するための命令、
前記コミュニケーションをとる参加者が異なる伝達機構を前記コミュニケーションに使用するための命令、及び
前記コミュニケーションをとる参加者が前記コミュニケーションの前記決定済み品質尺度を、格納のために分類するための命令
のうちの１つ又は複数を含む、請求項８から１０のいずれか一項に記載の装置。
【請求項１２】
前記１つ又は複数の生理特性センサは、
前記コミュニケーションがとられる前記少なくとも１人の参加者の動き、
前記コミュニケーションがとられる前記少なくとも１人の参加者の心拍数、
前記コミュニケーションがとられる前記少なくとも１人の参加者の呼吸数、
前記コミュニケーションがとられる前記少なくとも１人の参加者の姿勢、
前記コミュニケーションがとられる前記少なくとも１人の参加者のポーズ、
前記コミュニケーションがとられる前記少なくとも１人の参加者の音声トーン、
前記コミュニケーションがとられる前記少なくとも１人の参加者によって開始された１つ又は複数のジェスチャ、
前記コミュニケーションがとられる前記少なくとも１人の参加者の顔の皮膚の色の変化、及び
前記コミュニケーションがとられる少なくとも１人の参加者の皮膚反応
のうちの任意の１つ又は複数を示す信号を取得する１つ又は複数のセンサを含む、請求項１から１１のいずれか一項に記載の装置。
【請求項１３】
前記コミュニケーションがとられる前記少なくとも１人の参加者から１つ又は複数の生理特性信号を取得する前記生理特性センサのうちの１つ又は複数と、
前記コミュニケーションの前記決定済み品質尺度に関する前記フィードバックを行う前記ユーザインタフェースと
をさらに含む、請求項１から１２のいずれか一項に記載の装置。
【請求項１４】
１人又は複数の他の参加者にコミュニケーションをとる参加者にフィードバックを行うためのプロセッサを含む装置を動作させる方法であって、
前記コミュニケーションが少なくとも１人の参加者によってとられるとき前記コミュニケーションがとられる前記少なくとも１人の参加者から１つ又は複数の生理特性信号を１つ又は複数の生理特性センサから前記プロセッサによって取得するステップと、
前記少なくとも１人の参加者から取得された前記１つ又は複数の生理特性信号を１つ又は複数の予想生理特性信号と比較することに基づいて前記コミュニケーションの品質の尺度を前記プロセッサによって決定するステップと、
前記少なくとも１人の参加者に前記コミュニケーションをとる参加者に前記コミュニケーションの決定済み品質尺度のフィードバックを行うためにユーザインタフェースを前記プロセッサによって制御するステップと
を有する、方法。
【請求項１５】
コンピュータ可読媒体中に具現されたコンピュータ可読コードを有し、前記コンピュータ可読コードは、適切なコンピュータ又はプロセッサによる実行時に、前記コンピュータ又はプロセッサに請求項１４に記載の方法を実行させる、コンピュータ可読媒体。
【発明の詳細な説明】
【技術分野】
【０００１】
本発明は、コミュニケーションの分野に関し、特に、コミュニケーションの参加者にフィードバックを行うための装置及び方法に関する。
【背景技術】
【０００２】
参加者間のコミュニケーションが将来のイベントにとって重要である様々な状況がある。これは、コミュニケーションが患者の健康及び福利に影響を与える医療分野に特に当てはまる。例えば、医療関係者間の会議（腫瘍委員会など）により、個々の患者に関する大量の情報が利用可能になり、多くの場合、患者の治療又は追跡治療に関する決定が行われることになる。
【０００３】
これらの会議の間に行われた決定は、長期間にわたって又は永久に患者の生活に影響を与えるので特に重要である。そのような会議においてコミュニケーション中に間違いがあった場合、誤った決定がなされ、これは最終的に患者の誤治療になる。患者の誤治療は患者に副作用をもたらすか可能性がある。場合によっては、患者の誤治療は、患者の生活の質を著しく低下させ、患者に重大な（おそらく不可逆な）健康上の影響をもたらし、さらに悪いことには、患者の平均余命を縮めることがある。さらに、誤った決定が行われたことから生じる副作用には、経済的な悪影響がある。例えば、患者は、誤った決定が行われた結果として、看護の増加又は定期的なモニタを必要とし、それは、医療関係者に過度の負担をかける。
【０００４】
それゆえに、そのような委員会における医療関係者間の良好な対話は、患者のために最適な決定が行われる（例えば、正しい治療が選択される）ことを確実にするために必須である。しかしながら、いくつかの実際的な制限のために、コミュニケーションが損なわれ、結果として、決定が悪影響を受ける。これらの実際的な制限には、例えば、会議の長さ、参加者の気を散らすものの存在、参加者の倦怠などが含まれる。
【０００５】
さらなる難題は、電子デバイスが、今では、多くの場合、コミュニケーション目的に使用されることである。これは、高速で広範囲にわたるインターネット可用性が進み、参加者が遠隔で意見を交換することを選ぶことが多いことを意味する。しかしながら、コミュニケーションに電子デバイスを使用すると、コミュニケーションを開始する参加者は、コミュニケーションを受け取る他の参加者の反応を知覚することが困難になる。例えば、対面のコミュニケーション中に相手の反応を判断するために通常使用される社会的信号の知覚は、電子伝達機構が代わりに使用されると失われる。さらに、場合によっては、コミュニケーションが音声メッセージ、テキストメッセージ、電子メール、又は他の電子的形式の形態で開始される場合などには、コミュニケーションはもはや即時応答で行われない。
【０００６】
米国特許出願公開第２０１３／０２６２１３２号は、健康管理システムの性能及び生産性を最適化する目的で、個人のパフォーマンスに関するフィードバックを行うために個人の行動に影響を与える追跡メトリックに関する。メトリックは、例えば、腫瘍委員会などの特定の活動への参加に関連する統計報告を使用して発生される。しかしながら、開示された方法は、特定の活動に参加することができる個人が、決定することに適するかどうかに焦点を当てており、したがって、開示された方法は、それらの決定が行われた共同イベント中の参加者間のコミュニケーションが損なわれた結果として、誤った決定が行われたことに伴うリスクに関連する上述で概説した制限を依然として克服することができない。
【発明の概要】
【発明が解決しようとする課題】
【０００７】
したがって、コミュニケーションの参加者にフィードバックを行うための改善された装置及び方法の必要性がある。
【課題を解決するための手段】
【０００８】
上記のように、既存の手法による制限は、それらの決定が行われた共同イベント中の参加者間のコミュニケーションが損なわれた結果として誤った決定が行われることである。したがって、コミュニケーションの参加者にフィードバックを行い、それにより、現存の問題を克服するための改善された装置及び方法を有することは有益である。
【０００９】
それゆえに、本発明の第１の態様によれば、１人又は複数の他の参加者にコミュニケーションをとる参加者にフィードバックを行うための装置が提供される。装置は、１つ又は複数の生理特性センサから、コミュニケーションが少なくとも１人の参加者によってとられるときコミュニケーションがとられる少なくとも１人の参加者から１つ又は複数の生理特性信号を取得するように構成されたプロセッサを含む。プロセッサはまた、少なくとも１人の参加者から取得された１つ又は複数の生理特性信号を１つ又は複数の予想生理特性信号と比較することに基づいてコミュニケーションの品質の尺度を決定し、少なくとも１人の参加者にコミュニケーションをとる参加者にコミュニケーションの決定済み品質尺度のフィードバックを行うためにユーザインタフェースを制御するように構成される。
【００１０】
実施形態によっては、コミュニケーションをとる参加者は、コミュニケーションがとられる少なくとも１人の参加者から遠く離れている。
【００１１】
いくつかの実施形態では、１つ又は複数の取得された生理特性信号は、コミュニケーションがとられる参加者のうちの少なくとも１人の反応を示す。いくつかの実施形態では、１つ又は複数の予想生理特性信号は、統計データ、ヒューリスティックス、又は較正データに基づいて決定される。いくつかの実施形態では、予想生理特性信号のうちの１つ又は複数は、コミュニケーションをとる参加者から取得された１つ又は複数の生理特性信号に基づいて決定される。
【００１２】
いくつかの実施形態では、コミュニケーションの決定済み品質尺度は、少なくとも１人の参加者から取得された１つ又は複数の生理特性信号の少なくとも１つの特性と、１つ又は複数の予想生理特性信号の少なくとも１つの対応する特性との間の同期性の尺度である。いくつかの実施形態では、コミュニケーションの決定済み品質尺度は、少なくとも１人の参加者から取得された１つ又は複数の生理特性信号の特性と１つ又は複数の予想生理特性信号の対応する特性との間の同期性の尺度の加重和の尺度である。
【００１３】
いくつかの実施形態では、プロセッサは、コミュニケーションの決定済み品質尺度を改善するように意図された関連する推奨を、コミュニケーションの決定済み品質尺度に基づいて、メモリから得るか又は発生するようにさらに構成される。いくつかの実施形態では、推奨は、コミュニケーションの決定済み品質尺度が最小閾値を下回ると、メモリから得られるか又は発生される。
【００１４】
いくつかの実施形態では、プロセッサは、少なくとも１人の参加者にコミュニケーションをとる参加者に推奨を示す通知を提供するためにユーザインタフェースを制御するようにさらに構成される。いくつかの実施形態では、推奨は、コミュニケーションをとる参加者がコミュニケーションを繰り返すための命令、コミュニケーションをとる参加者がコミュニケーションを再調査するための命令、コミュニケーションをとる参加者が異なる伝達機構をコミュニケーションに使用するための命令、及びコミュニケーションをとる参加者がコミュニケーションの決定済み品質尺度を、格納のために、分類するための命令のうちの１つ又は複数を含む。
【００１５】
いくつかの実施形態では、１つ又は複数の生理特性センサは、コミュニケーションがとられる少なくとも１人の参加者の動き、コミュニケーションがとられる少なくとも１人の参加者の心拍数、コミュニケーションがとられる少なくとも１人の参加者の呼吸数、コミュニケーションがとられる少なくとも１人の参加者の姿勢、コミュニケーションがとられる少なくとも１人の参加者のポーズ、コミュニケーションがとられる少なくとも１人の参加者の音声トーン、コミュニケーションがとられる少なくとも１人の参加者によって開始された１つ又は複数のジェスチャ、コミュニケーションがとられる少なくとも１人の参加者の顔の皮膚の色の変化、及びコミュニケーションがとられる少なくとも１人の参加者の皮膚反応のうちの１つ又は複数を示す信号を取得するように構成された１つ又は複数のセンサを含む。
【００１６】
いくつかの実施形態では、装置は、コミュニケーションがとられる少なくとも１人の参加者から１つ又は複数の生理特性信号を取得するように構成された生理特性センサのうちの１つ又は複数と、コミュニケーションの決定済み品質尺度に関するフィードバックを行うように構成されたユーザインタフェースとをさらに含む。
【００１７】
本発明の第２の態様によれば、１人又は複数の他の参加者にコミュニケーションをとる参加者にフィードバックを行うためのプロセッサを含む装置を動作させる方法が提供される。この方法は、コミュニケーションが少なくとも１人の参加者によってとられるときコミュニケーションがとられる少なくとも１人の参加者から１つ又は複数の生理特性信号を１つ又は複数の生理特性センサからプロセッサによって取得するステップと、少なくとも１人の参加者から取得された１つ又は複数の生理特性信号を１つ又は複数の予想生理特性信号と比較することに基づいてコミュニケーションの品質の尺度をプロセッサによって決定するステップとを有する。この方法は、少なくとも１人の参加者にコミュニケーションをとる参加者にコミュニケーションの決定済み品質尺度のフィードバックを行うためにユーザインタフェースをプロセッサによって制御するステップをさらに有する。
【００１８】
本発明の第３の態様によれば、コンピュータ可読媒体を含むコンピュータプログラムが提供され、コンピュータ可読媒体は、その中に具現されたコンピュータ可読コードを有し、コンピュータ可読コードは、適切なコンピュータ又はプロセッサによる実行時に、コンピュータ又はプロセッサに上述の１つ又は複数の方法を実行させるように構成される。
【００１９】
上述の態様及び実施形態によれば、既存の技法の制限が対処される。特に、上述の態様及び実施形態によれば、コミュニケーション中にコミュニケーション品質の測定値を得る（又は品質評価を実行する）ことが可能であり、これを使用して、コミュニケーションを指図又は開始する参加者にフィードバックを行うことができる。より具体的には、コミュニケーションの他の参加者と関連してコミュニケーションの参加者を評価し、コミュニケーションの品質を測定し、フィードバックし、改善することが可能である。コミュニケーションを指図又は開始する参加者は、高品質のコミュニケーションを得るためにコミュニケーションが行われるやり方を適切に変更するのに使用される価値のある情報を有する。達成される高品質のコミュニケーションは、共同イベント中に行われる決定を改善することができる。これは、患者の医療の決定にリンクされる医療関係者間のコミュニケーションなどのコミュニケーションが重大な決定にリンクされる場合、特に価値がある。上述の態様及び実施形態に従って行われるフィードバックは、それらの決定を最適化するために使用される。
【００２０】
したがって、コミュニケーションの参加者にフィードバックを行い、それにより、現存の問題を克服するための改善された装置及び方法が提供される。
【００２１】
本発明のより良い理解のために、及び本発明がどのように実施されるかをより明確に示すために、次に、単に例として、添付図面を参照する。
【図面の簡単な説明】
【００２２】
【図１】一実施形態による装置のブロック図である。
【図２】一実施形態による方法を示す流れ図である。
【図３】例示の実施形態による方法を示す流れ図である。
【発明を実施するための形態】
【００２３】
上記のように、本発明は、コミュニケーションの参加者にフィードバックを行い、現存の問題を克服するための改善された装置及び方法を提供する。
【００２４】
本明細書で説明する実施形態のいずれにおいても、コミュニケーションをとる参加者の１人又は複数人、及びコミュニケーションがとられる少なくとも１人の参加者は、例えば、医療関係者（医師、看護師、又は他の医療関係者など）である。しかしながら、本明細書で説明する装置１００及び方法は、実際には、任意のタイプの参加者の間又は任意のタイプの組合せの参加者の間のコミュニケーションに適することが理解されよう。実施形態によっては、コミュニケーションをとる参加者は、コミュニケーションがとられる少なくとも１人の参加者から遠く離れている。例えば、参加者は、異なる場所に又は異なる環境に（異なる部屋又は建物などに）いることがある。代替として、コミュニケーションをとる参加者は、コミュニケーションがとられる少なくとも１人の参加者の近くの区域にいることがある。例えば、参加者は、同じ場所に又は同じ環境に（同じ部屋又は建物などに）いることがある。コミュニケーションをとる参加者はまた、コミュニケーションの送り手、開始者、送出者、又は伝達者とも呼ばれる。コミュニケーションがとられる参加者は、コミュニケーションの受け手とも呼ばれる。
【００２５】
本明細書で説明する実施形態のいずれにおいても、コミュニケーションのための伝達機構は電子伝達機構である。例えば、参加者は、コミュニケーションを開始する（又は送る、又は伝達する）ために電子デバイスを操作する。したがって、コミュニケーション自体は、電子通信、又は電子通信チャネルを介して提供される通信である。電子通信チャネルは、暗号化された電子通信チャネル又は暗号化されていない電子通信チャネルである。コミュニケーションの例には、限定はしないが、電子メッセージ（音声メッセージ、テキストメッセージ、ビデオメッセージ、電子メール、若しくは電子的に受信される他のメッセージなど）、コール（ボイスコール、ビデオコール、若しくは他のタイプのコールなど）、電子デバイス上で動作するアプリケーション又はサービスを介するコミュニケーション、又は他のタイプのコミュニケーションが含まれる。
【００２６】
図１は、一実施形態による１人又は複数の他の参加者にコミュニケーションをとる参加者にフィードバックを行うための装置１００の一例を示す。図１を参照すると、装置１００には、装置１００の動作を制御し、本明細書で説明する方法を実施するプロセッサ１０２が含まれる。プロセッサ１０２は、本明細書で説明するやり方で装置１００を制御するように構成されたか又はプログラムされた１つ又は複数のプロセッサ、処理ユニット、マルチコアプロセッサ、又はモジュールを含む。特定の実施態様では、プロセッサ１０２は、各々が、本発明の実施形態による方法の個々のステップ又は多数のステップを実行するように構成されたか或いはそれを実行するものである複数のソフトウェア及び／又はハードウェアモジュールを含む。
【００２７】
簡単に言えば、プロセッサ１０２は、１つ又は複数の生理特性センサ１０４から、コミュニケーションが少なくとも１人の参加者によってとられるときコミュニケーションがとられる少なくとも１人の参加者から１つ又は複数の生理特性信号を取得し、少なくとも１人の参加者から取得された１つ又は複数の生理特性信号を１つ又は複数の予想生理特性信号と比較することに基づいてコミュニケーションの品質の尺度を決定するように構成される。
【００２８】
プロセッサ１０２によって取得される１つ又は複数の生理特性信号は、コミュニケーションに対する少なくとも１人の参加者の反応を示す生理特性信号である。１つ又は複数の生理特性信号は、例えば、コミュニケーションの品質の指標を提供する生理特性信号である。いくつかの実施形態では、生理特性信号は言葉を用いない信号であり、それを社会的コンテキストで使用して、コミュニケーション品質の指標が提供される。コミュニケーションの参加者は、言葉を用いない信号を意識的に及び無意識に作り出す。１つ又は複数の生理特性センサ１０４からプロセッサ１０２によって取得される１つ又は複数の生理特性信号は、コミュニケーションの参加者間の共感、疎通性、対人関係、合意などのような１つ又は複数の社会的特性の尺度を示し、少なくとも１人の参加者にコミュニケーションをとる参加者によって供されたすべての関心の指標を提供する。
【００２９】
１つ又は複数の生理特性センサ１０４の例には、限定はしないが、コミュニケーションがとられる少なくとも１人の参加者の動き（頭の動き又は他の動きなど）（例えば、加速度計、カメラ、又は他の運動センサなどの運動センサ、若しくは運動センサの組合せ）、コミュニケーションがとられる少なくとも１人の参加者の心拍数（例えば、心電図（ＥＣＧ）センサ、光電式指尖容積脈波（ＰＰＧ）センサ、又は他の心拍数センサなどの心拍数センサ、若しくは心拍数センサの組合せ）、コミュニケーションがとられる少なくとも１人の参加者の呼吸数（例えば、音響センサ、空気流センサ、胸部及び腹部用に構成されたものなどの運動センサ、心電図（ＥＣＧ）センサ、レーダーセンサ、光センサ、熱センサなどの呼吸数センサ、若しくは他の呼吸数センサ、又は呼吸数センサの組合せ）、コミュニケーションがとられる少なくとも１人の参加者の姿勢（例えば、カメラなどの姿勢センサ、若しくは他の姿勢センサ、又は姿勢センサの組合せ）、コミュニケーションがとられる少なくとも１人の参加者のポーズ（例えば、カメラなどのポーズセンサ、若しくは他のポーズセンサ、又はポーズセンサの組合せ）、コミュニケーションがとられる少なくとも１人の参加者の音声トーン（例えば、マイクロホンなどのオーディオセンサ、若しくは他のオーディオセンサ、又はオーディオセンサの組合せ）、コミュニケーションがとられる少なくとも１人の参加者によって開始された１つ又は複数のジェスチャ（例えば、カメラなどの視覚センサ、若しくは他の視覚センサ、又は視覚センサの組合せ）、コミュニケーションがとられる少なくとも１人の参加者の顔の皮膚の色の変化（赤らんでいるなど）（例えば、光度測定光反射センサなどの皮膚色センサ、若しくは他の皮膚色センサ、又は皮膚色センサの組合せ）、コミュニケーションがとられる少なくとも１人の参加者の皮膚反応（汗又は発汗量など）（例えば、電気皮膚反応（ＧＳＲ）センサなどの皮膚反応センサ、若しくは他の皮膚反応センサ）のうちの１つ又は複数を示す信号を取得するように構成された１つ又は複数のセンサ、或いはコミュニケーションがとられる少なくとも１人の参加者からの生理特性信号を取得するのに適する他のセンサ、又はセンサの組合せが含まれる。
【００３０】
コミュニケーションがとられる少なくとも１人の参加者のポーズは、コミュニケーションがとられる少なくとも１人の参加者が当然と思う位置、例えば、コミュニケーションがとられる少なくとも１人の参加者が当然と思う、座っている、立っている、横になっている、又は他の位置などである。コミュニケーションがとられる少なくとも１人の参加者の姿勢は、座っているか又は立っているときの前かがみなどの、コミュニケーションがとられる少なくとも１人の参加者が体を保持する態様（例えば特定のポーズ中のときの）である。
【００３１】
図１に示すように、いくつかの実施形態によれば、装置１００自体は、コミュニケーションがとられる少なくとも１人の参加者から１つ又は複数の生理特性信号を取得するように構成された１つ又は複数の生理特性センサ１０４を含む。代替として又は加えて、コミュニケーションがとられる少なくとも１人の参加者から１つ又は複数の生理特性信号を取得するように構成された１つ又は複数の生理特性センサ１０４は、装置１００の外にある（すなわち、装置１００から分離しているか又は遠く離れている）。例えば、少なくとも１つの生理特性センサ１０４は、別のデバイスの一部であるか又はその中に埋め込まれる。いくつかの実施形態では、コミュニケーションがとられる参加者が着用するように構成されたウェアラブルデバイス（スマートウォッチなど）、及び／又は他のタイプのデバイス（例えば、タブレットデバイス、スマートフォンなどのようなスマートデバイス）が、１つ又は複数の生理特性センサ１０４のうちの少なくとも１つを含む。代替として又は加えて、１つ又は複数の生理特性センサ１０４のうちの少なくとも１つは、コミュニケーションがとられる参加者がコミュニケーションを受け取ることができる所定の場所に（又は環境に）設けられる。いくつかの実施形態では、装置１００自体が、ウェアラブルデバイス（例えば、スマートウォッチ、モニタリングデバイス、若しくは他のウェアラブルデバイス）、携帯電子デバイス（例えば、タブレットデバイス、スマートフォン、若しくは他の携帯電子デバイスなどのスマートデバイス）、又は他のデバイスである。
【００３２】
前に述べたように、コミュニケーションの品質の尺度は、少なくとも１人の参加者から取得された１つ又は複数の生理特性信号を１つ又は複数の予想生理特性信号と比較することに基づいて、装置１００のプロセッサ１０２によって決定される。１つ又は複数の予想生理特性信号は、例えば、統計データ、ヒューリスティックス、又は較正データに基づいて決定される。いくつかの実施形態では、１つ又は複数の予想生理特性信号のうちの少なくとも１つは、１つ又は複数のメモリ１０６に格納される。図１に示すように、いくつかの実施形態によれば、装置１００自体は、１つ又は複数のメモリ１０６を含む。代替として、１つ又は複数のメモリ１０６は、装置１００の外にある（すなわち、装置１００から分離しているか又は遠く離れている）。例えば、１つ又は複数のメモリ１０６は、別のデバイスの一部である。本明細書で説明する実施形態のいずれにおいても、予想生理特性信号のうちの１つ又は複数は、コミュニケーションをとる参加者から取得された１つ又は複数の生理特性信号に基づいて決定される。
【００３３】
１つ又は複数の生理特性信号を取得し、コミュニケーションの品質尺度を決定するように構成されることに加えて、装置１００のプロセッサ１０２は、さらに、少なくとも１人の参加者にコミュニケーションをとる参加者にコミュニケーションの決定済み品質尺度のフィードバックを行う（例えば、レンダリングする、出力する、又は表示する）ためのユーザインタフェース１０８を制御するように構成される。図１に示すように、いくつかの実施形態によれば、装置１００自体は、コミュニケーションの決定済み品質尺度に関するフィードバックを行うように構成されたユーザインタフェース１０８を含む。代替として又は加えて、コミュニケーションの決定済み品質尺度に関するフィードバックを行うように構成されたユーザインタフェース１０８は、装置１００の外にある（すなわち、装置１００から分離しているか又は遠く離れている）。例えば、ユーザインタフェース１０８は、別のデバイスの一部である。いくつかの実施形態では、コミュニケーションをとる参加者が着用するように構成されたウェアラブルデバイス（スマートウォッチなど）、及び／又は他のタイプのデバイス（例えば、タブレットデバイス、スマートフォンなどのようなスマートデバイス）は、  ユーザインタフェース１０８の少なくとも１つを含む。いくつかの実施形態では、装置１００は、ユーザインタフェース１０８と１つ又は複数の生理特性センサの両方を含み、又はユーザインタフェース１０８及び１つ又は複数の生理特性センサは、同じ外部デバイスの一部である。コミュニケーションの決定済み品質尺度に関するフィードバックを行うように構成されることに加えて又はその代替として、ユーザインタフェース１０８はユーザ入力を受け取るように構成される。言い換えれば、ユーザインタフェース１０８により、ユーザは、データ、命令、又は情報を手作業で入力することができる。これらの実施形態では、プロセッサ１０２は、１つ又は複数のユーザインタフェース１０８からユーザ入力を取得するように構成される。
【００３４】
したがって、ユーザインタフェース１０８は、少なくとも１人の参加者にコミュニケーションをとる参加者に、コミュニケーションの決定済み品質尺度のフィードバックを行う（例えば、レンダリングする、出力する、又は表示する）ことを可能にするユーザインタフェースであり、代替として又は加えて、ユーザインタフェース１０８は、装置１００のユーザがユーザ入力を供給する、装置１００と対話する、及び／又は装置１００を制御することを可能にするユーザインタフェースである。例えば、ユーザインタフェース１０８には、１つ又は複数のスイッチ、１つ又は複数のボタン、キーパッド、キーボード、マウス、タッチスクリーン又はアプリケーション（例えば、タブレット、スマートフォンなどのスマートデバイス、若しくは他のスマートデバイス）、ディスプレイ又はディスプレイスクリーン、グラフィカルユーザインタフェース（ＧＵＩ）又は他のビジュアルコンポーネント、１つ又は複数のスピーカ、１つ又は複数のマイクロホン、又は他のオーディオコンポーネント、１つ又は複数のライト（発光ダイオードＬＥＤライトなど）、触知（ｔａｃｔｉｌｅ）又は触覚（ｈａｐｔｉｃ）フィードバックを行うためのコンポーネント（振動機能など、又は他の触知フィードバックコンポーネント）、拡張現実感デバイス（拡張現実感眼鏡又は他の拡張現実感デバイスなど）、スマートデバイス（タブレット、スマートフォン、スマートウォッチ、又は他のスマートデバイスなど）、或いは他のユーザインタフェース、又はユーザインタフェースの組合せが含まれる。いくつかの実施形態では、行う（例えば、レンダリングする、出力する、又は表示する）ように制御されるユーザインタフェース１０８は、ユーザがユーザ入力を供給する、装置１００と対話する、及び／又は装置１００を制御することを可能にするものと同じユーザインタフェース１０８である。
【００３５】
いくつかの実施形態では、装置１００のプロセッサ１０２は、コミュニケーションの決定済み品質尺度を改善するように意図された関連する推奨を、コミュニケーションの決定済み品質尺度に基づいてメモリ１０６から得るか、又は発生するようにさらに構成される。いくつかの実施形態では、推奨は、コミュニケーションの決定済み品質尺度が最小閾値を下回ると、メモリ１０６から得られるか又は発生される。いくつかの実施形態では、プロセッサ１０２は、少なくとも１人の参加者にコミュニケーションをとる参加者に推奨を示す通知を提供するためにユーザインタフェース１０８を制御するようにさらに構成される。
【００３６】
図１に示すように、いくつかの実施形態では、装置１００は、任意のコンポーネント、インタフェース、ユニット、メモリ、センサ、及び装置１００の内部又は外部にあるデバイスと装置１００が通信する（接続する）のを可能にするための通信用インタフェース（又は回路）１１０をさらに含む。例えば、通信用インタフェース１１０は、１つ又は複数の生理特性センサ１０４、１つ又は複数のメモリ１０６、及び／又はユーザインタフェース１０８と通信するように構成される。本明細書で説明する実施形態のいずれにおいても、通信用インタフェース１１０は、任意のコンポーネント、インタフェース、ユニット、メモリ、センサ、及びデバイスと無線で又は有線接続を介して通信するように構成される。
【００３７】
図１は、本発明のこの態様を示すのに必要なコンポーネントのみを示しており、実際の実施態様では、装置１００は、図示のものに加えて追加のコンポーネントを含むことができることが理解されよう。例えば、装置１００は、装置１００に電力を供給するためのバッテリ若しくは他の電源、又は装置１００を主電源に接続するための手段を含むことができる。
【００３８】
図２は、一実施形態による１人又は複数の他の参加者にコミュニケーションをとる参加者にフィードバックを行うためのプロセッサ１０２を含む装置１００を動作させる方法２００を示す。図２の図示の方法２００は、通常、装置１００のプロセッサ１０２の制御によって又はその制御下で実行される。
【００３９】
図２を参照すると、ブロック２０２において、１つ又は複数の生理特性信号が、コミュニケーションが少なくとも１人の参加者によってとられるとき（又は少なくとも１人の参加者がコミュニケーションを受け取っている間に）コミュニケーションがとられる少なくとも１人の参加者からプロセッサ１０２によって取得される。言い換えれば、プロセッサ１０２は、コミュニケーションがとられる少なくとも１人の参加者（又はコミュニケーションの受け手）の生理特性データを集める。生理特性信号は、１つ又は複数の生理特性センサ１０４によって非侵襲的に取得され、それは、生理特性信号の取得が、信号がコミュニケーション中に取得されている参加者に積極的に干渉しないことを意味する。プロセッサ１０２は、１つ又は複数の生理特性センサ１０４から１つ又は複数の生理特性信号を取得するように構成される。前に述べたように、１つ又は複数の生理特性センサ１０４からプロセッサ１０２によって取得された１つ又は複数の生理特性信号は、コミュニケーションがとられる参加者のうちの少なくとも１人の反応を示す生理特性信号である。
【００４０】
プロセッサ１０２が１つ又は複数の生理特性信号を取得した後、プロセッサ１０２は、１つ又は複数の取得した生理特性信号を処理する。より具体的には、図２のブロック２０４において、コミュニケーションの品質の尺度が、少なくとも１人の参加者から取得された１つ又は複数の生理特性信号を１つ又は複数の予想生理特性信号と比較することに基づいてプロセッサ１０２によって決定される。このようにして、１つ又は複数の取得された生理特性信号を使用して、コミュニケーション品質を評価する。いくつかの実施形態では、１つ又は複数の取得された生理特性信号を処理して、１つ又は複数の社会的特性の尺度（コミュニケーションの参加者間の共感、疎通性、対人関係、合意、供された関心などのような）を導き出し、それを使用して、コミュニケーション品質を評価する。
【００４１】
前に述べたように、１つ又は複数の生理特性信号が比較される１つ又は複数の予想生理特性信号は、例えば、統計データ、ヒューリスティックス、又は較正データに基づいて決定される。較正データは、例えば、１つ又は複数の生理特性信号が取得される少なくとも１人の参加者に固有のデータを含む。いくつかの実施形態では、１つ又は複数の予想生理特性信号のうちの少なくとも１つは、１つ又は複数のメモリ１０６に格納される。前に述べたように、本明細書で説明する実施形態のいずれにおいても、予想生理特性信号のうちの１つ又は複数は、少なくとも１人の参加者にコミュニケーションをとる参加者から取得された１つ又は複数の生理特性信号に基づいて決定される。
【００４２】
いくつかの実施形態では、比較に基づいてプロセッサ１００によって決定されるコミュニケーションの品質尺度は、例えば、少なくとも１人の参加者から取得された１つ又は複数の生理特性信号の少なくとも１つの特性（又は少なくとも１つの特徴）と１つ又は複数の予想生理特性信号の少なくとも１つの対応する特性との間の同期性の尺度である。生理特性信号の特性（又は特徴）は、コミュニケーションの品質尺度の指標を提供するのに適する特性である。心拍数信号のそのような特性の一例は心拍数変動性である、音声信号のそのような特性の一例は音声トーンである、等々。
【００４３】
いくつかの実施形態では、同期性は、少なくとも１人の参加者から取得された１つ又は複数の生理特性信号の少なくとも１つの特徴Ｆ１Ａ…ＦｎＡと１つ又は複数の予想生理特性信号の同じ少なくとも１つの特徴Ｆ１Ｂ…ＦｎＢとの間で決定される。特徴間の同期性の尺度は、特定の特徴間の類似性（例えば、動き又は音声のトーンなどの模倣）、又は特徴の流れの間の類似性（例えば、発話交替、うなずきのような規定のジェスチャなどにおける滑らかな移り変わり）を表す。２つの対応する特徴ＦｉＡ及びＦｉＢでは、同期性の尺度Ｓｉは次のように表現される。
Ｓｉ＝ＦｉＡ〜ＦｉＢ
【００４４】
いくつかの実施形態では、複数の特徴の間の同期性が測定される。例えば、１つ又は複数の生理的特徴信号は、ピッチ、イントネーション、強度などのような複数の特性（又は特徴）を有する音声信号を含む。いくつかの実施形態では、同期性の尺度は、すべての特徴に対して決定される。同期性は、当業者が把握している同期性を測定するのに適する技法を使用して測定される。同期性を測定するための技法の例には、限定はしないが、時系列の生理的特徴信号間の時間遅延相互相関の使用と、再帰分析の使用とが含まれる。しかしながら、当業者は、同期性の尺度を決定するのにも適する他の技法を把握している。同期性の尺度は、コミュニケーションをとる参加者と、コミュニケーションがとられる少なくとも１人の参加者のうちの１人又は複数との間のコミュニケーション品質（例えば、関連の品質）を表す。
【００４５】
少なくとも１人の参加者から取得された１つ又は複数の生理特性信号の少なくとも１つの特性と１つ又は複数の予想生理特性信号の少なくとも１つの対応する特性との間の同期性が高いほど、品質尺度は高くなる。同様に、少なくとも１人の参加者から取得された１つ又は複数の生理特性信号の少なくとも１つの特性と１つ又は複数の予想生理特性信号の少なくとも１つの対応する特性との間の同期性が低いほど、品質尺度は低くなる。例えば、同期した心拍数変動を有すると決定されたコミュニケーションの参加者は、非同期性の心拍数変動を有する参加者よりも高い品質のコミュニケーションを達成する可能性が高い。同様に、例えば、同期性の頭の動きを有すると決定されたコミュニケーションの参加者は、非同期性の頭の動きを有する参加者よりも高い品質のコミュニケーションを達成する可能性が高い。さらに、例えば、同期性の同意反応（うなずく頭の動き、親指を立てる反応、言葉での賛成、又は他の同意反応若しくは同意反応の組合せなど）を実行するコミュニケーションの参加者は、同期性の同意反応を実行しない参加者又は矛盾する反応を実行する参加者よりも高い品質のコミュニケーションを達成する可能性が高い。
【００４６】
いくつかの実施形態では、少なくとも１人の参加者から取得された１つ又は複数の生理特性信号と１つ又は複数の予想生理特性信号の対応する特性（又は特徴）との比較に基づいてプロセッサ１００によって決定されるコミュニケーションの品質尺度は、例えば、少なくとも１人の参加者から取得された１つ又は複数の生理特性信号の特性と１つ又は複数の予想生理特性信号の対応する特性との間の同期性の尺度の加重和の尺度である。例えば、すべての個々の特徴について決定された同期性の尺度Ｓ１…ｎを組み合わせて、コミュニケーションをとる参加者と、コミュニケーションがとられる少なくとも１人の参加者のうちの１人又は複数との間の関係の品質Ｑの尺度がもたらされる。
【００４７】
同期性の尺度が、コミュニケーションをとる参加者Ａと、コミュニケーションがとられる参加者Ｂとの間の関係の品質Ｑを表す実施形態では、関係の品質Ｑは、例えば、以下のように決定され、
【数１】
2020521249.tif 000003
ここで、ωは、特定の特徴の各同期性尺度Ｓが、参加者Ａと参加者Ｂとの間の全体的な関係の品質Ｑに寄与する程度を示す重みである。例えば、音声のトーンの特徴は、心拍数変動よりも関係品質Ｑにとって重要であると考えられる。したがって、互いに関連する特徴の重要性は、関連する重みωによって表される。
【００４８】
コミュニケーションの品質尺度（同期性の尺度又は同期性の尺度の加重和など）の決定の例が提供されているが、他の品質尺度が決定されてもよいことが理解されよう。
【００４９】
図２に戻ると、ブロック２０６において、ユーザインタフェース１０８は、少なくとも１人の参加者にコミュニケーションをとる参加者にコミュニケーションの決定済み品質尺度のフィードバックを行うためにプロセッサ１０２によって制御される。このようにして、プロセッサ１０２によって発生されたコミュニケーション品質に関するフィードバックが行われ、それはコミュニケーションを改善するのに役立つ。
【００５０】
図２に示されていないが、実施形態によっては、方法２００は、コミュニケーションの決定済み品質尺度を改善する（例えば、同期性のレベルを改善する）ように意図された関連する推奨（又は関与）をプロセッサ１０２によってメモリ１０６から得るか又は発生するステップをさらに有する。推奨は、コミュニケーションの決定済み品質尺度に基づいて、メモリ１０６から得られるか又は発生される。例えば、メモリ１０６は、品質尺度を改善するように意図された関連する推奨とともにコミュニケーションの品質尺度を格納する。いくつかの実施形態では、推奨は、コミュニケーションの決定済み品質尺度が最小閾値を下回ると、メモリ１０６から得られるか又は発生される。
【００５１】
例えば、コミュニケーションをとる参加者と、コミュニケーションがとられる少なくとも１人の参加者のうちの１人又は複数との間の関係の品質Ｑが決定される実施形態では、この値Ｑが閾値τを上回るか又は下回るかが決定される。値Ｑが閾値τを下回る場合、プロセッサ１０２は、関係の品質Ｑを改善する手法に関する推奨をメモリ１０６から得るか又は発生するように構成される。これらの推奨は、測定された特徴の特定の特性に依存し、重みνによって表される。いくつかの実施形態では、重みνは、コミュニケーションをとる参加者が関係の品質Ｑの変化を生成するように特性（又は特徴）を変更することができる容易さを表す。例えば、音声のトーンの特性は心拍数変動の特性よりも変化しやすい。
【００５２】
したがって、いくつかの実施形態によれば、コミュニケーションをとる参加者Ａへの推奨Ｒは、以下のように表される。
ＲＡ＝ａｒｇｍａｘｉ（νｉＳｉ）
この関数は、最も高く寄与する重み付き特徴Ｆｉをもたらす。次いで、この特徴を使用して、メモリ１０６から推奨を得る。メモリ１０６には、１つ又は複数の特徴とともに格納された推奨がある。例えば、「姿勢」という特徴は、「パートナーの姿勢をまねるようにしてください」などの推奨とともに格納され、一方、「発話交替」という特徴は、「中断を確実に最小に抑えるようにしてください。話し始める前にパートナーを終了させてください。」などの推奨とともに格納される。
【００５３】
推奨がプロセッサ１０２によって得られるか又は発生される本明細書に記載された実施形態のいずれにおいても、方法はまた、推奨を示す通知を、少なくとも１人の参加者にコミュニケーションをとる参加者に提供するように、ユーザインタフェース１０８をプロセッサ１０２によって制御するステップをさらに有する。このようにして、コミュニケーションの改善の際に、少なくとも１人の参加者にコミュニケーションをとる参加者を支援することが可能である。
【００５４】
推奨の例には、限定はしないが、コミュニケーションをとる参加者がコミュニケーションを繰り返すための命令、コミュニケーションをとる参加者がコミュニケーションを再調査するための命令（例えば、コミュニケーションをとる参加者が、コミュニケーションの品質尺度を改善するのに変更が必要であるかどうかを決定するためにコミュニケーションを評価するための命令）、コミュニケーションをとる参加者が異なる伝達機構をコミュニケーションに使用するための命令、コミュニケーションをとる参加者がコミュニケーションの決定済み品質尺度を、格納のために（例えば、アーカイブ目的のために）、分類するための命令、又はコミュニケーションの決定済み品質尺度の改善を目的とする他の推奨若しくは推奨の組合せのうちの１つ又は複数が含まれる。
【００５５】
いくつかの実施形態では、プロセッサ１００によって決定されたコミュニケーションの品質尺度は、推奨をメモリ１０６から得るか又は発生するためにコミュニケーションにリンクされた決定に関連するリスクレベルと一緒に使用される。これらの実施形態では、品質閾値は、コミュニケーションの品質尺度に対して設定され、品質閾値より上の品質尺度を有するコミュニケーションは、高いコミュニケーション品質を有するとして分類され、品質閾値より下の品質尺度を有するコミュニケーションは、低いコミュニケーション品質を有するとして分類される。同様に、リスク閾値は、コミュニケーションにリンクされた決定に関連するリスクレベルに対して設定され、リスク閾値より上のリスクレベルは、高リスク決定（潜在的に不利益な結果を有する）として分類され、リスク閾値より下のリスクレベルは、低リスク決定として分類される。品質閾値及びリスク閾値を使用して、品質尺度及びリスクレベルをそれぞれ分類し、それによって、推奨がプロセッサ１０２によっていつトリガされるかを決定する。
【００５６】
使用の際の品質閾値及びリスク閾値の一例が、以下に提供される。
【００５７】
【表１】
2020521249.tif 000004
【００５８】
したがって、この例では、コミュニケーションの品質尺度が高いと決定された場合、コミュニケーションにリンクされた決定に関連するリスクレベルが低い又は高いと決定されるかどうかに関係なく、決定は、推奨がプロセッサ１０２によってトリガされることなしに続行することができる。コミュニケーションの品質尺度が低いと決定され、コミュニケーションにリンクされた決定に関連するリスクレベルが低いと決定された場合、決定は、フラグを立てられるが、プロセッサ１０２によって受け入れられる。コミュニケーションの品質尺度が低いと決定され、コミュニケーションにリンクされた決定に関連するリスクレベルが高いと決定された場合、決定はフラグを立てられ、推奨がプロセッサ１０２によってトリガされる。この例では、推奨は、高いコミュニケーション品質を確実にするために、決定（又は決定に至る評価）が二重チェックされる（又は繰り返される）必要があることを示す。
【００５９】
図３は、例示の実施形態による、１人又は複数の他の参加者にコミュニケーションをとる参加者にフィードバックを行うためのプロセッサ１０２を含む装置１００を動作させる方法を示す。図３の図示の方法は、通常、装置１００のプロセッサ１０２の制御によって又はその制御下で実行される。この例示の実施形態では、参加者Ａ及び参加者Ｂは、互いにコミュニケーションしている。
【００６０】
図３を参照すると、ブロック３０２において、生理特性信号は、コミュニケーションが参加者Ｂからとられている参加者Ａからプロセッサ１０２によって取得され、生理特性信号は、コミュニケーションが参加者Ａによってとられるとき取得される。同様に、図３のブロック３０４において、生理特性信号は、コミュニケーションが参加者Ａからとられている参加者Ｂからプロセッサ１０２によって取得され、生理特性信号は、コミュニケーションが参加者Ｂによってとられるとき取得される。ブロック３０２及び３０４で取得された生理特性信号は、各々、複数の特性（又は特徴）Ａ、Ｂ、Ｃ、Ｄを含む。
【００６１】
図３のブロック３０６、３０８、３１０、及び３１２において、各参加者Ａ及びＢに対して、他方の参加者にとられたコミュニケーションの品質の尺度は、コミュニケーションがとられた参加者から取得された生理特性信号を１つ又は複数の予想生理特性信号と比較することに基づいて、プロセッサ１０２によって決定される。より具体的には、この例示の実施形態では、比較に基づいてプロセッサ１００によって決定されるコミュニケーションの品質尺度は、コミュニケーションがとられた参加者から取得された生理特性信号の少なくとも１つの特性Ａ、Ｂ、Ｃ、Ｄと、１つ又は複数の予想生理特性信号の少なくとも１つの対応する特性Ａ、Ｂ、Ｃ、Ｄとの間の同期性の尺度を含む。いくつかの実施形態によれば、予想生理特性信号のうちの１つ又は複数は、コミュニケーションをとる参加者から取得された生理特性信号に基づいて決定される。同期性の尺度は、ブロック３０６において、特徴Ａ、Ｂ、Ｃ、Ｄの各々に対して決定される。次いで、ブロック３０８において、特徴は、重要性（例えば、特定の特徴の同期性尺度が全体的な品質に寄与する程度）に従って重み付けされる。
【００６２】
図３のブロック３１０において、すべての個々の特徴に対して決定された同期性の尺度を組み合わせて、コミュニケーションの参加者Ａと参加者Ｂとの間の関係の品質Ｑの尺度が得られる。次いで、ブロック３１２において、特徴は、他方の参加者にコミュニケーションをとる参加者が特徴を変更して関係の品質Ｑのそれぞれの変化を生成することができる容易さに従って重み付けされる。ブロック３１４において、コミュニケーションの決定済み品質尺度を改善する（例えば、同期性のレベルを改善する）ように意図された推奨が、メモリ１０６から得られるか又はプロセッサ１０２によって発生され、ユーザインタフェース１０８は、他方の参加者にコミュニケーションをとる参加者に推奨を示す通知を提供するようにプロセッサ１０２によって制御される。
【００６３】
本明細書で説明する実施形態のいずれにおいても、本明細書に記載されたコミュニケーションをとる参加者にフィードバックを行うための方法は、コミュニケーションがとられる１人の参加者に関して、コミュニケーションがその参加者によってとられるとき、又はコミュニケーションがとられる複数の参加者に関して、コミュニケーションがそれらの参加者によってとられるとき実行される。例えば、いくつかの実施形態では、本明細書に記載された方法は、コミュニケーションがとられる複数の参加者に関して、コミュニケーションがそれらの参加者によってとられるとき同時に実行される。
【００６４】
それゆえに、コミュニケーションの参加者にフィードバックを行うための改善された装置及び方法が提供される。本明細書に記載された装置及び方法は、コミュニケーションの品質が重要であり、したがって、コミュニケーション品質の評価が有益であるコミュニケーション設定に有用である。例えば、本明細書に記載された装置及び方法は、医療コミュニケーション（例えば、腫瘍委員会などの医療会議）に特に有用である。
【００６５】
コンピュータ可読媒体を含むコンピュータプログラムがさらに提供され、コンピュータ可読媒体は、その中に具現されたコンピュータ可読コードを有し、コンピュータ可読コードは、適切なコンピュータ又はプロセッサによる実行時に、本明細書に記載された１つ又は複数の方法をコンピュータ又はプロセッサに実行させるように構成される。したがって、本発明はまた、本発明を実施するように構成されたコンピュータプログラム、特に、キャリア上又はキャリア内のコンピュータプログラムに適用されることが理解されよう。プログラムは、ソースコード、オブジェクトコード、コード中間ソース、及び部分的にコンパイルされた形態のオブジェクトコードの形態、又は本発明による方法の実施で使用するのに適する他の形態である。
【００６６】
そのようなプログラムは多くの異なるアーキテクチャ設計を有することも理解されよう。例えば、本発明による方法又はシステムの機能を実施するプログラムコードは、１つ又は複数のサブルーチンに細分されてもよい。これらのサブルーチンの間で機能を分配する多くの異なる仕方が当業者には明らかであろう。サブルーチンは、１つの実行可能ファイルに一緒に格納されて、自己完結型プログラムを形成してもよい。例えば、そのような実行可能ファイルは、コンピュータ実行命令、例えば、プロセッサ命令及び／又はインタプリンタ命令（例えば、Ｊａｖａ（登録商標）インタプリタ命令）を含む。代替として、サブルーチンの１つ又は複数又はすべては、少なくとも１つの外部ライブラリファイルに格納され、例えば実行時に、メインプログラムと静的又は動的にリンクされてもよい。メインプログラムは、サブルーチンのうちの少なくとも１つへの少なくとも１つの呼び出しを含む。サブルーチンはまた、互いに関数呼び出しを含む。
【００６７】
コンピュータプログラムに関連する実施形態は、本明細書に記載された方法のうちの少なくとも１つの各処理段階に対応するコンピュータ実行可能命令を含む。これらの命令は、サブルーチンに細分され、及び／又は静的又は動的にリンクされる１つ又は複数のファイルに格納される。コンピュータプログラムに関連する別の実施形態は、本明細書に記載されたシステム及び／又は製品のうちの少なくとも１つに属する各手段に対応するコンピュータ実行可能命令を含む。これらの命令は、サブルーチンに細分され、及び／又は静的又は動的にリンクされる１つ又は複数のファイルに格納される。
【００６８】
コンピュータプログラムのキャリアは、プログラムを担持することができるエンティティ又はデバイスである。例えば、キャリアは、ＲＯＭ、例えば、ＣＤ  ＲＯＭ若しくは半導体ＲＯＭ、又は磁気記録媒体、例えば、ハードディスクなどのデータ記憶装置を含む。さらに、キャリアは、電気ケーブル若しくは光ケーブルを介して又は無線若しくは他の手段によって伝達される電気信号又は光信号などの伝達可能なキャリアである。プログラムがそのような信号で具現される場合、キャリアは、そのようなケーブル、又は他のデバイス若しくは手段によって構成される。代替として、キャリアは、プログラムが埋め込まれている集積回路であってもよく、集積回路は、関連する方法を実行するように構成されるか又は関連する方法の実行で使用される。
【００６９】
開示した実施形態への変形は、図面、開示、及び添付の特許請求の範囲の検討から、特許請求された本発明を実践する際に当業者によって理解され達成される。特許請求の範囲において、「備えている、含んでいる」という単語は、他の要素又はステップを排除せず、単数形は、複数を除外しない。単一のプロセッサ又は他のユニットは、特許請求の範囲に列挙されているいくつかの項目の機能を満たすことができる。特定の手段が相互に異なる従属請求項に列挙されているという単なる事実は、これらの手段の組合せを有利に使用できないことを示していない。コンピュータプログラムは、他のハードウェアの一部と一緒に又はその一部として供給された光記憶媒体又は固体媒体などの好適な媒体に格納／分配されてもよいが、さらに、インターネット又は他の有線若しくは無線電気通信システムを介するなどの他の形態で分配されてもよい。特許請求の範囲におけるいかなる参照符号も範囲を限定するものとして解釈されるべきでない。
【図１】
2020521249.tif 000005
【図２】
2020521249.tif 000006
【図３】
2020521249.tif 000007
【国際調査報告】
2020521249.tif 000008
2020521249.tif 000009